(57)【要約】      （修正有）【課題】電源コードがコンセント本体に対し回転可能で、過度な湾曲による損傷が回避され、また、パッドによってコンセント本体を壁面／床から隔てて、コンセント本体の放熱を助けるテーブルタップを提供する。【解決手段】コンセント本体１００、回転アセンブリ２００、電源コード３００及びパッド４００を含むテーブルタップであって、コンセント本体は、上カバー１１０、下カバー１２０、導電アセンブリ及び差込口を含む。導電アセンブリは上カバーと下カバーの間に設けられ、差込口１４０は上カバーの上面に設けられる。回転アセンブリは、上カバーと下カバーの間に設けられるとともに、回転可能に上カバー及び／又は下カバーに接続される。また、回転アセンブリは開孔を含む。電源コードは開孔に差し込まれて回転アセンブリ内に伸入する。パッドは、取り外し可能に下カバーの下面に設けられる。【選択図】図１
0003227639.tif 000002
【実用新案登録請求の範囲】
【請求項１】
上カバー、当該上カバーと対向する下カバー、導電アセンブリ及び第１差込口を含み、当該導電アセンブリが当該上カバーと当該下カバーの間に設けられ、当該第１差込口が、当該上カバーの上面に設けられるとともに当該導電アセンブリの上方に位置するコンセント本体、
当該上カバーと当該下カバーの間に設けられ、回転可能に当該上カバー及び／又は当該下カバーに接続される回転アセンブリであって、第１開孔を含み、当該第１開孔が当該回転アセンブリの側面に設けられる回転アセンブリ、
当該第１開孔に差し込まれて当該回転アセンブリ内に伸入し、当該導電アセンブリに接続される電源コード、及び、
取り外し可能に当該下カバーの下面に設けられるパッド、を含む、
テーブルタップ。
【請求項２】
当該下カバーは貫通孔を含み、当該貫通孔は当該下面に設けられ、当該パッドは更に突起を含み、当該突起を当該貫通孔に差し込むことで当該パッドが当該下カバーに設置される請求項１に記載のテーブルタップ。
【請求項３】
当該下カバーは磁気吸着部を含み、当該パッドはもう一方の磁気吸着部を含み、当該もう一方の磁気吸着部と当該磁気吸着部が互いに吸引し合うことで当該パッドが当該下カバーに設置される請求項１に記載のテーブルタップ。
【請求項４】
当該回転アセンブリは第２開孔を更に含み、当該第２開孔は当該回転アセンブリの上面又は下面に設けられ、当該電源コードは複数の導線を含み、これらの導線は当該第２開孔から引き出されて当該導電アセンブリに接続される請求項１〜３のいずれか１項に記載のテーブルタップ。
【請求項５】
当該第１差込口は２つの差込孔を含む請求項１〜３のいずれか１項に記載のテーブルタップ。
【請求項６】
当該コンセント本体は更に第２差込口を含み、当該第２差込口は、当該上カバーの側面及び／又は当該下カバーの側面に設けられるとともに、当該導電アセンブリの側方に位置する請求項１〜３のいずれか１項に記載のテーブルタップ。
【請求項７】
当該第２差込口は２つの差込孔を含む請求項６に記載のテーブルタップ。
【請求項８】
当該第２差込口と当該上カバーの当該上面との距離は、電源プラグを当該第２差込口に挿し込んだときに、当該電源プラグの接地端子が当該上面に位置するように設定される請求項７に記載のテーブルタップ。
【請求項９】
当該上カバーは上延伸部を含み、当該下カバーは下延伸部を含み、当該上延伸部と当該下延伸部は互いに距離を隔てており、当該回転アセンブリは、当該上延伸部と当該下延伸部の間に設けられるとともに、回転可能に当該上延伸部及び／又は当該下延伸部に接続される請求項１〜３のいずれか１項に記載のテーブルタップ。
【考案の詳細な説明】
【技術分野】
【０００１】
本考案はテーブルタップに関し、特に、電源コードがコンセント本体に対し回転可能なテーブルタップに関する。
【背景技術】
【０００２】
電気製品を使用する際、建物の壁面に設置されているコンセントと電気製品の配置位置との距離が、電気製品に備え付けの電源コードの長さよりも長い場合が多々ある。テーブルタップはこのような距離を補うために用いられ、壁面のコンセントからの電気供給可能距離を延長する効果を発揮する。これにより、使用者は任意の位置で電気製品を使用可能となる。また、複数の差込口を有するテーブルタップは、差込孔を増やす作用を奏し得る。
【０００３】
テーブルタップを使用する際、テーブルタップの電源コードを適当に床に配置すると、人が足を引っ掛けて外力が加わり、引っ張られることで損傷しやすい。そのため、安全上の懸念が存在する。一方で、整頓のためにテーブルタップを壁面に直接貼り付けると、配置スペースの限界から電源コードの一端が過度に折り曲げられて損傷するため、やはり安全上の懸念が存在する。また、テーブルタップを壁面に密着させる場合には、コンセントの熱量を発散させにくい。
【０００４】
以上に鑑みて、上記の欠点を改善するためのテーブルタップを如何にして提供するかが業界において解決を要する課題となっている。
【考案の概要】
【考案が解決しようとする課題】
【０００５】
本考案の目的は、過度な湾曲による損傷を回避するようコンセント本体に対し回転可能な電源コードを有するテーブルタップを提供することである。また、テーブルタップは、コンセント本体が壁面に密着することで放熱しにくくなる事態を回避すべく、壁面への固定に用いられ、且つ壁面に対し取り外し可能なパッドを有する。
【課題を解決するための手段】
【０００６】
上記の目的を達成すべく、本考案のテーブルタップは、コンセント本体、回転アセンブリ、電源コード及びパッドを含む。コンセント本体は、上カバー、上カバーと対向する下カバー、導電アセンブリ及び第１差込口を含む。導電アセンブリは上カバーと下カバーの間に設けられる。第１差込口は、上カバーの上面に設けられるとともに、導電アセンブリの上方に位置する。回転アセンブリは、上カバーと下カバーの間に設けられ、回転可能に上カバー及び／又は下カバーに接続される。回転アセンブリは第１開孔を含み、第１開孔は回転アセンブリの側面に設けられる。電源コードは、第１開孔に差し込まれて回転アセンブリ内に伸入し、導電アセンブリに接続される。パッドは、取り外し可能に下カバーの下面に設けられる。
【０００７】
一実施例において、本考案のテーブルタップが有する下カバーは更に貫通孔を含み、貫通孔は下面に設けられる。パッドは更に突起を含み、突起を貫通孔に差し込むことでパッドが下カバーに設置される。
【０００８】
一実施例において、本考案のテーブルタップが有するコンセント本体の下カバーは磁気吸着部を含み、パッドはもう一方の磁気吸着部を含む。もう一方の磁気吸着部と磁気吸着部が互いに吸引し合うことでパッドが下カバーに設置される。
【０００９】
一実施例において、本考案のテーブルタップが有する回転アセンブリは第２開孔を更に含む。第２開孔は回転アセンブリの上面又は下面に設けられる。電源コードは複数の導線を含み、これらの導線は第２開孔から引き出されて導電アセンブリに接続される。
【００１０】
一実施例において、本考案のテーブルタップが有するコンセント本体は更に第２差込口を含む。第２差込口は、上カバーの側面及び／又は下カバーの側面に設けられるとともに、導電アセンブリの側方に位置する。
【００１１】
一実施例において、本考案のテーブルタップが有するコンセント本体の第２差込口は２つの差込孔を含む。
【００１２】
一実施例において、本考案のテーブルタップが有するコンセント本体の第２差込口と上カバーの上面との距離は、電源プラグを第２差込口に挿し込んだときに、電源プラグの接地端子が上面に位置するように設定される。
【００１３】
一実施例において、本考案のテーブルタップが有するコンセント本体の上カバーは上延伸部を含み、下カバーは下延伸部を含む。上延伸部と下延伸部は互いに距離を隔てている。回転アセンブリは、上延伸部と下延伸部の間に設けられるとともに、回転可能に上延伸部及び／又は下延伸部に接続される。
【００１４】
上記の目的、技術的特徴及び利点をより明瞭且つ理解しやすくするために、以下で、好ましい実施例と図面を組み合わせて詳細に説明する。
【図面の簡単な説明】
【００１５】
【図１】本考案の好ましい実施例に基づくテーブルタップの斜視図である。
【図２】図１に示されるテーブルタップの分解斜視図である。
【図３】図１に示されるテーブルタップの分解斜視図である。
【図４】図１に示されるテーブルタップにプラグを差し込んだ場合の側面図である。
【考案を実施するための形態】
【００１６】
本考案の好ましい実施例に基づくテーブルタップ１０の斜視図及び分解斜視図である図１〜図３を参照する。テーブルタップ１０は、壁面のコンセント（商用電源コンセント）に電気的に接続することで、壁面のコンセントからの電気供給距離（図示しない）を延長可能である。テーブルタップ１０は、コンセント本体１００、回転アセンブリ２００、電源コード３００及びパッド４００を含む。以下、各部材の技術内容について順に説明する。
【００１７】
コンセント本体１００は、上カバー１１０、上カバー１１０と対向する下カバー１２０、導電アセンブリ１３０及び第１差込口１４０を含み得る。上カバー１１０と下カバー１２０は硬質材料（例えばプラスチック）で作製すればよく、且つ、収容空間１５０を備える筐体を形成するよう互いに掛合可能に配置される。導電アセンブリ１３０は、下カバー１２０に設けられて収容空間１５０内に位置する。導電アセンブリ１３０は金属材料で作製すればよく、且つ複数の挟持構造を有する。
第１差込口１４０は、上カバー１１０の上面１１１に設けられて導電アセンブリ１３０の上方に位置する。こうすることで、テーブルタップ１０を使用する際には、電源プラグの電子接点が第１差込口１４０に差し込まれて収容空間１５０に伸入し、導電アセンブリ１３０に接続される（導電アセンブリ１３０に挟持される）ことで電気エネルギーを受け付け可能となる。
【００１８】
コンセント本体１００は、更に、上カバー１１０又は下カバー１２０の側面か、上カバー１１０と下カバー１２０の掛合後の側面１０１に設置可能であり、且つ導電アセンブリ１３０の側方に位置する第２差込口１６０を含む。好ましい実施において、第１差込口１４０は、２つの電子接点を有するプラグ（図示しない）に対応するよう２つの差込孔を含む。また、第２差込口１６０も２つの差込孔を含む。
第２差込口１６０と上カバー１１０の上面１１１との距離は、電源プラグ２０を第２差込口１６０に挿し込んだときに、電源プラグ２０の接地端子２１（接地用の電子接点）が上面１１１に位置するよう設定される（図４参照）。これにより、電子接点が２つのプラグと電子接点が３つのプラグ２０の双方を第２差込口１６０に差し込んで導電アセンブリ１３０に接続し、電気エネルギーを受け付けることが可能となる。
【００１９】
なお、図中に示した第１差込口１４０及び第２差込口１６０の形状は、中国、日本、ベトナム、タイ等の地域で一般的に使用されるプラグ規格に対応しているが、これに限らず、どのような差込口形状に変更したとしても本考案が主張する範囲に属する。また、第１差込口１４０と第２差込口１６０の数に制限はない。このほか、プラグ規格の違いに応じて第２差込口１６０と上カバー１１０の上面１１１との距離を設計すればよい。
【００２０】
図２及び図３を同時に参照する。コンセント本体１００の上カバー１１０は上延伸部１１２を更に含み、下カバー１２０は下延伸部１２１を更に含む。下延伸部１２１は上延伸部１１２に対応しており、且つ上延伸部１１２と距離を隔てている。回転アセンブリ２００は上延伸部１１２と下延伸部１２１の間に設けられる。
回転アセンブリ２００は中空のハウジングとすればよく、上面２０２と下面２０３が、上延伸部１１２及び下延伸部１２１の円柱状の突起１０４にそれぞれ対応する孔２０４を各々有している。これにより、上カバー１１０と下カバー１２０を掛合すると、回転アセンブリ２００が回転可能に上延伸部１１２及び下延伸部１２１に接続される。また、上カバー１１０と下カバー１２０を分離する場合にも、回転アセンブリ２００を脱落させることなく上延伸部１１２又は下延伸部１２１に接続したままとできる。回転アセンブリ２００は、コンセント本体１００に対し時計回り／反時計回りに角度Ａだけ回転可能に設けられる。角度Ａは９０度以下や１２０度以下、又は１８０度以下とすればよい。
【００２１】
図２に示すように、回転アセンブリ２００の側面２０１は第１開孔２１０を含む。電源コード３００は第１開孔２１０に差し込まれてコンセント本体１００内に伸入し、導電アセンブリ１３０に接続される（図示しない）。詳細には、電源コード３００は複数の導線（図示しない）を含む。
第１開孔２１０のサイズは、複数の導線を差し込んで回転アセンブリ２００に進入させたあと、回転アセンブリ２００の上面２０２又は下面２０３に設けられた第２開孔２２０から引き出すことでコンセント本体１００内に進入させ、導電アセンブリ１３０に接続するよう設定される。このように、導線は回転アセンブリ２００の上面２０２又は下面２０３から引き出されてコンセント本体１００内に進入するため（回転アセンブリ２００の側面２０１の他方の側から引き出されてコンセント本体１００内に進入するのではない）、回転アセンブリ２００の回転時に当該導線が露出することがない。
【００２２】
また、回転アセンブリ２００の第２開孔２２０は、十分な幅を有するよう回転アセンブリ２００の回転方向に沿って延伸させればよい。これにより、回転アセンブリ２００の回転時に、第２開孔２２０内に位置する複数の導線を引っ張ることがない。
【００２３】
図３に示すように、選択可能に、テーブルタップ１０は、電源コード３００及び導電アセンブリ１３０に接続されるスイッチ５００を更に含む。これにより、使用者は、第１差込口１４０及び第２差込口１６０から供給される電気エネルギーを手動でオン／オフ可能となる。また、スイッチ５００は、導電アセンブリ１３０の温度が過剰となった場合に電気エネルギーの供給を自動で切断するよう、導電アセンブリ１３０と連携して電断防火機能を有してもよい。スイッチ５００はコンセント本体１００の側面１０２に設ければよく、好ましくは、側面１０２の凹溝１０３内に設ければよい。これにより、使用者がスイッチ５００に誤って触れる結果、接続されている複数の電子機器を想定外に切断してしまう事態が発生しにくくなる。
【００２４】
図２及び図３に示すように、コンセント本体１００の下カバー１２０は、下カバー１２０の下面１２４に設けられる貫通孔１２３を更に含む。また、パッド４００の上面４０１は突起４１０を含み、突起４１０を貫通孔１２３に差し込むことでパッド４００を下カバー１２０に設置可能である。詳細には、突起４１０と貫通孔１２３は、突起４１０を貫通孔１２３に差し込むことで貫通孔１２３に係止可能な圧嵌式構造とすればよい。或いは、突起４１０がフックを有し、突起４１０を貫通孔１２３に差し込むことで掛合可能とすればよい。或いは、下カバー１２０が磁気吸着部を含み、パッド４００がもう一方の磁気吸着部を含み、磁気吸着部ともう一方の磁気吸着部が互いに吸引し合うようにすればよい（図示しない）。
また、パッド４００を壁面Ｗに接着可能とすべく、パッド４００の下面４０２には接着剤が更に設けられる。好ましくは、接着剤が壁面Ｗに残留したり、壁面Ｗを損傷（例えばペンキの剥離）したりしないよう、当該接着剤は繰り返し接着可能なものとする。また、繰り返し接着可能な接着剤だけでなく、その他の種類の接着剤でパッド４００を壁面Ｗに接着してもよい。このほか、パッド４００は、ボルト、釘、フック等の方式で壁面Ｗに固定してもよい。
【００２５】
このように、コンセント本体１００は、パッド４００を介して壁面Ｗに懸架又は固定可能なため、コンセント本体１００や電源コード３００が床に散乱して使用者に蹴られたり踏まれたりすることがない。また、より好ましくは、コンセント本体１００と壁面Ｗが密着することなく互いに距離を隔てるよう、パッド４００は十分な厚さ（例えば１ｃｍ）を有する。これにより、好ましい放熱効果が備わる。パッド４００の全部又は一部は、コンセント本体１００の放熱効率を向上させるために、例えば金属やセラミックスといった熱伝導率の高い材料で作製すればよい。
【００２６】
上述したように、本考案のテーブルタップは、使用者に電源コードの方向を回転可能にさせるため、使用時に電源コードが過度に湾曲して損傷する事態が回避される。且つ、パッドを有するため、テーブルタップが壁面に密着することで放熱しにくくなる事態を回避可能となり、放熱効果が向上する。
【００２７】
上記の実施例は本考案の実施形態を例示して本考案の技術的特徴を詳細に説明するためのものにすぎず、本考案の保護の範囲を制限するものではない。当業者が容易に完了可能な変更または等価の調整はいずれも本考案が主張する範囲に属し、本考案の権利の保護範囲は実用新案登録請求の範囲に準じる。
【符号の説明】
【００２８】
１０  テーブルタップ
１００  コンセント本体
１０１  側面
１０２  側面
１０３  凹溝
１１０  上カバー
１１１  上面
１１２  上延伸部
１２０  下カバー
１２１  下延伸部
１２３  貫通孔
１３０  導電アセンブリ
１４０  第１差込口
１５０  収容空間
１６０  第２差込口
２００  回転アセンブリ
２０１  側面
２０２  上面
２０３  下面
２０４  孔
２１０  第１開孔
２２０  第２開孔
３００  電源コード
４００  パッド
４１０  突起
４０２  下面
５００  スイッチ
Ａ  角度
Ｗ  壁面
【図１】
0003227639.tif 000003
【図２】
0003227639.tif 000004
【図３】
0003227639.tif 000005
【図４】
0003227639.tif 000006